(57)【要約】  本開示は、対話属性を表示するための方法および装置に関する。本方法は、マルチメディアリソースについての対話属性を、上記マルチメディアリソースの再生中にユーザの対話データに基づいて決定する段階と、上記対話属性に基づいて、可視化対話情報を生成する段階と、上記可視化対話情報を表示する段階とを備える。本開示の実施形態によれば、対話属性を、マルチメディアリソースの再生中にユーザの対話データに基づいて決定することが可能であり、次いで、可視化対話情報を生成、表示して、明瞭かつ直観的に対話を表示し、表示効果を改善し、ユーザ体験を向上させる。
2020514892.tif 000002
【特許請求の範囲】
【請求項１】
対話属性を表示する方法であって、
マルチメディアリソースについての対話属性を前記マルチメディアリソースの再生中にユーザの対話データに基づいて決定する段階と、
前記対話属性に基づいて、可視化対話情報を生成する段階と、
前記可視化対話情報を表示する段階と
を備える方法。
【請求項２】
前記対話データが、前記マルチメディアリソースの再生中に前記ユーザにより入力されるコメントアイコンと、対応する入力時間とを含み、
前記対話属性が、第１のコメントアイコンの入力時間分布または複数のコメントアイコンについての全体的な入力時間分布のうちの少なくとも１つを含み、
前記第１のコメントアイコンが、複数のコメントアイコンのうちのいずれかのコメントアイコンである、
請求項１に記載の方法。
【請求項３】
前記対話属性に基づいて、可視化対話情報を生成する前記段階が、
前記対話属性に基づいて、複数のコメントアイコンのうちの少なくとも１つについての全体的なアイコン入力時間密度グラフ、または、前記第１のコメントアイコンもしくは複数の第１のコメントアイコンについての第１のアイコン入力時間密度グラフを生成する段階を含み、  前記可視化対話情報を表示する前記段階が、
前記全体的なアイコン入力時間密度グラフまたは前記第１のアイコン入力時間密度グラフのうちの少なくとも１つを表示する段階を含む、
請求項２に記載の方法。
【請求項４】
前記対話属性に基づいて、可視化対話情報を生成する前記段階が、
前記対話属性に基づいて、前記マルチメディアリソースの再生中に、第１の時間間隔内で最大入力時間密度を有する第２のコメントアイコンを決定する段階と、
前記マルチメディアリソースの再生中に、複数の第１の時間間隔について、前記第２のコメントアイコンに対する第２のアイコン入力時間密度グラフを決定する段階と
を含み、
前記可視化対話情報を表示する前記段階が、
前記第２のアイコン入力時間密度グラフを表示する段階を含む、
請求項２に記載の方法。
【請求項５】
前記第２のアイコン入力時間密度グラフを表示する前記段階が、
前記第２のアイコン入力時間密度グラフの第１の時間間隔ごとに、前記第１の時間間隔に対応する第２のコメントアイコンと、前記第２のコメントアイコンの入力時間密度とを表示する段階を含む、
請求項４に記載の方法。
【請求項６】
表示される前記可視化対話情報が生じた場合に、前記マルチメディアリソースの再生進行を、前記可視化対話情報が生じた位置に対応する時点にジャンプさせる段階を更に備える、
請求項１に記載の方法。
【請求項７】
前記可視化対話情報を表示する前記段階が、
前記可視化対話情報を、マルチメディアリソース再生領域内に重ね合わせて表示する表示モードと、
前記可視化対話情報を、マルチメディアリソース再生進行制御領域内に表示する表示モードと、
前記可視化対話情報を、前記マルチメディアリソース再生領域および前記マルチメディアリソース再生進行制御領域以外の領域内に表示する表示モードと
のうちの少なくとも１つを含む、
請求項１〜６のいずれか１項に記載の方法。
【請求項８】
前記コメントアイコンが、ブレット（ｂｕｌｌｅｔ）画面内のコメントアイコンを含む、
請求項２〜５のうちのいずれか１項に記載の方法。
【請求項９】
対話属性を表示するための装置であって、
マルチメディアリソースについての対話属性を、前記マルチメディアリソースの再生中に、ユーザの対話データに基づいて決定するように構成された対話属性決定モジュールと、
前記対話属性に基づいて、可視化対話情報を生成するように構成された対話情報生成モジュールと、
前記可視化対話情報を表示するように構成された対話情報表示モジュールと
を備える装置。
【請求項１０】
前記対話データが、前記マルチメディアリソースの再生中に前記ユーザにより入力されるコメントアイコンと、対応する入力時間とを含み、
前記対話属性が、第１のコメントアイコンの入力時間分布または複数のコメントアイコンについての全体的な入力時間分布のうちの少なくとも１つを含み、
前記第１のコメントアイコンが、複数のコメントアイコンのうちのいずれかのコメントアイコンである
請求項９に記載の装置。
【請求項１１】
前記対話情報生成モジュールが、
前記対話属性に基づいて、複数のコメントアイコンについての全体的なアイコン入力時間密度グラフ、または前記第１のコメントアイコンもしくは複数の第１のコメントアイコンについての第１のアイコン入力時間密度グラフのうちの少なくとも１つを生成するように構成された第１の生成サブモジュール
を含み、
前記対話情報表示モジュールが、
前記全体的なアイコン入力時間密度グラフまたは前記第１のアイコン入力時間密度グラフのうちの少なくとも１つを表示するように構成された第１の表示サブモジュール
を含む、
請求項１０に記載の装置。
【請求項１２】
前記対話情報生成モジュールが、
前記対話属性に基づいて、前記マルチメディアリソースの再生中に、第１の時間間隔内で最大入力時間密度を有する第２のコメントアイコンを決定するように構成された第１の決定サブモジュールと、
前記マルチメディアリソースの再生中に、複数の第１の時間間隔について、前記第２のコメントアイコンに対する第２のアイコン入力時間密度グラフを決定するように構成された第２の決定サブモジュールと
を含み、
前記対話情報表示モジュールが、
前記第２のアイコン入力時間密度グラフを表示するように構成された第２の表示サブモジュールを含む
請求項１０に記載の装置。
【請求項１３】
前記第２の表示サブモジュールが、
前記第２のアイコン入力時間密度グラフの第１の時間間隔ごとに、前記第１の時間間隔に対応する第２のコメントアイコンと、前記第２のコメントアイコンの入力時間密度とを表示するように構成された第３の表示サブモジュールを含む、
請求項１２に記載の装置。
【請求項１４】
表示される前記可視化対話情報が生じた場合に、前記マルチメディアリソースの再生進行を、前記可視化対話情報が生じた位置に対応する時点にジャンプさせるように構成された進行ジャンプモジュールを更に備える
請求項９に記載の装置。
【請求項１５】
前記対話情報表示モジュールが、
前記可視化対話情報を、マルチメディアリソース再生領域内に重ね合わせて表示する表示モードと、
前記可視化対話情報を、マルチメディアリソース再生進行制御領域内に表示する表示モードと、
前記可視化対話情報を、前記マルチメディアリソース再生領域および前記マルチメディアリソース再生進行制御領域以外の領域内に表示する表示モードと
のうちの少なくとも１つを含む、
請求項９〜１４のうちのいずれか１項に記載の装置。
【請求項１６】
前記コメントアイコンが、ブレット画面内のコメントアイコンを含む
請求項１０〜１３のうちのいずれか１項に記載の装置。
【請求項１７】
対話属性を表示するための装置であって、
プロセッサと、
プロセッサ実行可能命令を格納するように構成されたメモリと
を備え、
前記プロセッサが、
マルチメディアリソースについての対話属性を、前記マルチメディアリソースの再生中にユーザの対話データに基づいて決定し、
前記対話属性に基づいて、可視化対話情報を生成し、
前記可視化対話情報を表示する
ように構成される、装置。
【発明の詳細な説明】
【技術分野】
【０００１】
［関連出願の相互参照］
本願は、出願日２０１７年１１月２４日の国際出願第ＰＣＴ／ＣＮ１７／１１２７９０号の国内移行段階のものであり、同国際出願に基づく優先権を主張する。また、同国際出願は、出願日２０１７年３月２日の中国特許出願第２０１７１０１２１３５４．５号に基づく優先権を主張している。これらの国際特許出願および中国特許出願は、それら全体を参照により本明細書に組み入れる。
【０００２】
本開示は、コンピュータ技術分野に関し、詳細には、対話属性を表示するための方法および装置に関する。
【背景技術】
【０００３】
マルチメディアリソースの再生中に、ユーザは、コメントの作成、「いいね」の付与、転送といった対話をマルチメディアリソース上で実施することができる。現在の技術を使用することにより、ユーザがマルチメディアリソース上で実施する様々な対話を共有および表示することが可能である。しかし、既存技術を用いた共有および表示の実施中には、対話が単純にマルチメディアリソースに重ね合わされ、受信ユーザに送られるのみであり、これではユーザのニーズを満たすことができない。したがって、ユーザの対話を明瞭そして直観的に共有することが可能な表示方法および装置を提供する必要がある。
【発明の概要】
【０００４】
上記に鑑みて、本開示は、対話属性に基づいて可視化対話情報を表示することが可能な対話属性を表示して、明瞭かつ直観的に対話を表示し、表示効果を改善し、ユーザ体験を向上させるための方法および装置を提供する。
【０００５】
本開示の一態様によれば、対話属性を表示する方法が提供され、本方法は、マルチメディアリソースについての対話属性を、上記マルチメディアリソースの再生中にユーザの対話データに基づいて決定する段階と、上記対話属性に基づいて、可視化対話情報を生成する段階と、上記可視化対話情報を表示する段階とを備える。
【０００６】
上記の方法について、一実施形態では、上記対話データが、上記マルチメディアリソースの再生中に上記ユーザにより入力されるコメントアイコンと、対応する入力時間とを含み、上記対話属性が、第１のコメントアイコンの入力時間分布、または複数のコメントアイコンについての全体的な入力時間分布のうちの少なくとも１つを含み、ただし、上記第１のコメントアイコンは、複数のコメントアイコンのうちのいずれかのコメントアイコンである。
【０００７】
上記の方法について、一実施形態では、上記対話属性に基づいて、可視化対話情報を生成する上記段階が、上記対話属性に基づいて、複数のコメントアイコンのうちの少なくとも１つについての全体的なアイコン入力時間密度グラフ、または上記第１のコメントアイコンもしくは複数の第１のコメントアイコンについての第１のアイコン入力時間密度グラフを生成する段階を含み、上記可視化対話情報を表示する上記段階が、上記全体的なアイコン入力時間密度グラフまたは上記第１のアイコン入力時間密度グラフのうちの少なくとも１つを表示する段階を含む。
【０００８】
上記の方法について、一実施形態では、上記対話属性に基づいて、可視化対話情報を生成する上記段階が、上記対話属性に基づいて、上記マルチメディアリソースの再生中に、第１の時間間隔内で最大入力時間密度を有する第２のコメントアイコンを決定する段階と、上記マルチメディアリソースの再生中に、複数の第１の時間間隔について、上記第２のコメントアイコンに対する第２のアイコン入力時間密度グラフを決定する段階とを含み、上記可視化対話情報を表示する上記段階が、上記第２のアイコン入力時間密度グラフを表示する段階を含む。
【０００９】
上記の方法について、一実施形態では、上記第２のアイコン入力時間密度グラフを表示する上記段階が、上記第２のアイコン入力時間密度グラフの第１の時間間隔ごとに、上記第１の時間間隔に対応する第２のコメントアイコンと、上記第２のコメントアイコンの入力時間密度とを表示する段階を含む。
【００１０】
上記の方法について、一実施形態では、その方法が、表示される上記可視化対話情報が生じた場合に、上記マルチメディアリソースの再生進行を、上記可視化対話情報が生じた位置に対応する時点にジャンプさせる段階を更に備える。
【００１１】
上記の方法について、一実施形態では、上記可視化対話情報を表示する上記段階が、上記可視化対話情報を、マルチメディアリソース再生領域内に重ね合わせて表示する表示モードと、上記可視化対話情報を、マルチメディアリソース再生進行制御領域内に表示する表示モードと、上記可視化対話情報を、上記マルチメディアリソース再生領域および上記マルチメディアリソース再生進行制御領域以外の領域内に表示する表示モードとのうちの少なくとも１つを含む。
【００１２】
上記の方法について、一実施形態では、上記コメントアイコンが、ブレット（ｂｕｌｌｅｔ）画面内のコメントアイコンを含む。
【００１３】
本開示の他の態様によれば、対話属性を表示するための装置が提供され、本装置は、マルチメディアリソースについての対話属性を、上記マルチメディアリソースの再生中にユーザの対話データに基づいて決定するように構成された対話属性決定モジュールと、上記対話属性に基づいて、可視化対話情報を生成するように構成された対話情報生成モジュールと、上記可視化対話情報を表示するように構成された対話情報表示モジュールとを備える。
【００１４】
上記の装置について、一実施形態では、上記対話データが、上記マルチメディアリソースの再生中に上記ユーザにより入力されるコメントアイコンと、対応する入力時間とを含み、上記対話属性が、第１のコメントアイコンの入力時間分布または複数のコメントアイコンについての全体的な入力時間分布のうちの少なくとも１つを含み、ただし、上記第１のコメントアイコンは、複数のコメントアイコンのうちのいずれかのコメントアイコンである。
【００１５】
上記の装置について、一実施形態では、上記対話情報生成モジュールが、上記対話属性に基づいて、複数のコメントアイコンについての全体的なアイコン入力時間密度グラフ、または上記第１のコメントアイコンもしくは複数の第１のコメントアイコンについての第１のアイコン入力時間密度グラフのうちの少なくとも１つを生成するように構成された第１の生成サブモジュールを含み、上記対話情報表示モジュールが、上記全体的なアイコン入力時間密度グラフまたは上記第１のアイコン入力時間密度グラフのうちの少なくとも１つを表示するように構成された第１の表示サブモジュールを含む。
【００１６】
上記の装置について、一実施形態では、上記対話情報生成モジュールが、上記対話属性に基づいて、上記マルチメディアリソースの再生中に、第１の時間間隔内で最大入力時間密度を有する第２のコメントアイコンを決定するように構成された第１の決定サブモジュールと、上記マルチメディアリソースの再生中に、複数の第１の時間間隔について、上記第２のコメントアイコンに対する第２のアイコン入力時間密度グラフを決定するように構成された第２の決定サブモジュールとを含み、上記対話情報表示モジュールが、上記第２のアイコン入力時間密度グラフを表示するように構成された第２の表示サブモジュールを含む。
【００１７】
上記の装置について、一実施形態では、上記第２の表示サブモジュールが、上記第２のアイコン入力時間密度グラフの第１の時間間隔ごとに、上記第１の時間間隔に対応する第２のコメントアイコンと、上記第２のコメントアイコンの入力時間密度とを表示するように構成された第３の表示サブモジュールを含む。
【００１８】
上記の装置について、一実施形態では、その装置が、表示される上記可視化対話情報が生じた場合に、上記マルチメディアリソースの再生進行を、上記可視化対話情報が生じた位置に対応する時点にジャンプさせるように構成された進行ジャンプモジュールを更に備える。
【００１９】
上記の装置について、一実施形態では、上記対話情報表示モジュールが、上記可視化対話情報を、マルチメディアリソース再生領域内に重ね合わせて表示する表示モードと、上記可視化対話情報を、マルチメディアリソース再生進行制御領域内に表示する表示モードと、上記可視化対話情報を、上記マルチメディアリソース再生領域および上記マルチメディアリソース再生進行制御領域以外の領域内に表示する表示モードとのうちの少なくとも１つを含む。
【００２０】
上記の装置について、一実施形態では、上記コメントアイコンが、ブレット画面内のコメントアイコンを含む。
【００２１】
本開示の他の態様によれば、対話属性を表示するための装置が提供され、本装置は、プロセッサと、プロセッサ実行可能命令を格納するように構成されたメモリとを備え、上記プロセッサが、マルチメディアリソースについての対話属性を、上記マルチメディアリソースの再生中にユーザの対話データに基づいて決定し、上記対話属性に基づいて、可視化対話情報を生成し、上記可視化対話情報を表示するように構成される。
【００２２】
本開示の他の態様によれば、不揮発性コンピュータ可読記憶媒体が提供され、端末もしくはサーバ（またはこれらの組合せ）のプロセッサにより上記記憶媒体内の命令が実行された場合に、上記端末もしくは上記サーバ（またはこれらの組合せ）が、上述した方法を実行することができ、上記方法は、マルチメディアリソースについての対話属性を、上記マルチメディアリソースの再生中にユーザの対話データに基づいて決定する段階と、上記対話属性に基づいて、可視化対話情報を生成する段階と、上記可視化対話情報を表示する段階とを備える。
【００２３】
本開示の実施形態による対話属性を表示するための方法および装置では、対話属性を、マルチメディアリソースの再生中にユーザの対話データに基づいて決定することが可能であり、次いで、可視化対話情報を生成、表示して、明瞭かつ直観的に対話を表示し、表示効果を改善し、ユーザ体験を向上させる。
【００２４】
本開示の他の特徴および態様が、添付の図面を参照した例示的実施形態の以下の詳細な説明から明らかになるであろう。
【図面の簡単な説明】
【００２５】
添付の図面は、本開示に組み込まれ、またその開示の一部を構成する。これらの図面は、明細書とともに、本開示の例示的な実施形態、特徴、および態様を示し、本開示の原理を説明する。
【００２６】
【図１】本開示のいくつかの実施形態に従って示される対話属性を表示する方法を説明するフロー図である。
【００２７】
【図２】本開示のいくつかの実施形態に従って示される対話属性を表示する方法を説明するフロー図である。
【００２８】
【図３】本開示のいくつかの実施形態に従って示される対話属性を表示する方法を説明するフロー図である。
【００２９】
【図４】本開示のいくつかの実施形態に従って示される対話属性を表示する方法を説明するフロー図である。
【００３０】
【図５】本開示のいくつかの実施形態に従って示される対話属性を表示する方法を説明するフロー図である。
【００３１】
【図６】本開示のいくつかの実施形態に従って示される対話属性を表示する方法の例示的アプリケーションシナリオの画面図である。
【００３２】
【図７】本開示のいくつかの実施形態に従って示される対話属性を表示する方法の例示的アプリケーションシナリオの画面図である。
【００３３】
【図８】本開示のいくつかの実施形態に従って示される対話属性を表示するための装置のブロック図である。
【００３４】
【図９】本開示のいくつかの実施形態に従って示される対話属性を表示するための装置のブロック図である。
【００３５】
【図１０】本開示のいくつかの実施形態に従って示される対話属性を表示するための装置のブロック図である。
【００３６】
【図１１】本開示のいくつかの実施形態に従って示される対話属性を表示するための装置のブロック図である。
【００３７】
【図１２】本開示のいくつかの実施形態に従って示される対話属性を表示するための装置のブロック図である。
【発明を実施するための形態】
【００３８】
本開示の様々な例示的実施形態、特徴、および態様を、添付の図面を参照して以下で詳細に説明する。添付図面中の同一の参照符号は、同一のまたは同様の機能を有する要素を表す。実施形態の様々な側面が添付図面中に示されるが、これら図面は、具体的に指摘されていない限り、必ずしも縮尺通りに描かれていない。本明細書中でもっぱら使用されている「例示的（ｅｘｅｍｐｌａｒｙ）」という語は、「一例、一実施形態、または一例示として機能する」ことを意味する。本明細書中で「例示的」と記載されるどの実施形態も、他の実施形態に対して、好ましいもの、または有利なものとは必ずしもみなされるものではない。さらに、以下では、実施形態の詳細な説明中で、本開示をより分かり易く説明するために詳細な内容が提供される。当業者であれば、特定の具体的詳細がない場合でも、本開示を実施可能であることを理解するはずである。いくつかの例では、本開示の主題に焦点を置くために、当業者には周知の方法、手段、要素、および回路については詳細に説明を行っていない。
【００３９】
図１は、本開示のいくつかの実施形態に従って示される対話属性を表示する方法を説明するフロー図である。いくつかの実施形態では、本方法は、端末デバイス（例えば、スマートフォン）またはサーバ上で実施することが可能である。図１に示すように、本開示のいくつかの実施形態による対話属性を表示する方法は、以下の段階を含む。
【００４０】
段階Ｓ１１：マルチメディアリソースについての対話属性を、マルチメディアリソースの再生中にユーザの対話データに基づいて決定する。
【００４１】
段階Ｓ１２：対話属性に基づいて、可視化対話情報を生成する。
【００４２】
段階Ｓ１３：可視化対話情報を表示する。
【００４３】
いくつかの実施形態では、対話属性を、マルチメディアリソースの再生中にユーザの対話データに基づいて決定することが可能であり、次いで、可視化対話情報を生成、表示して、明瞭かつ直観的に対話を表示し、表示効果を改善し、ユーザ体験を向上させる。
【００４４】
上記の対話データは、マルチメディアリソースの再生中に、マルチメディアリソース上のユーザ、または、他のユーザなどの他の対象が実施する、コメントの作成、「いいね」の付与、または転送などの、いずれかの対話を通して生成される対話データであってもよい。上記の対話属性は、ユーザの対話の属性的特徴を表すことが可能ないずれかの値、統計量、または分類結果などでもよい。
【００４５】
例えば、マルチメディアリソース（例えば、映像）の再生中に、ユーザはコメントを入力することができ、このコメントは、マルチメディアリソース全体についてのコメントであっても、マルチメディアリソースの一セグメントについてのコメント、またはマルチメディアリソースの特定の再生時点でのコメントであってもよい。コメントの内容には、テキスト、ピクチャ、または顔文字などの入力が含まれてもよい。さらに、コメントは、特別なコメント表示領域内に表示することができ、または、コメントは、ブレット画面（またはマルチメディアファイル上でのソーシャルなコメント提供を可能にする他のメカニズム）を通して、マルチメディアリソースの再生インタフェース上に表示することができる。ユーザにより入力されるコメントの内容、入力方法、および表示モードのいずれも、本開示では限定されない。
【００４６】
一実施形態では、コメントアイコンが、ブレット画面内のコメントアイコンを含んでもよい。ブレット画面内のコメントアイコンは、悲しみ、幸せ、およびショックなどを表現する顔文字を含むこともあり、ユーザは、マウスをクリックすることや、静電容量式タッチ画面に触れることなどの入力方法で、これらの顔文字を入力することができる。
【００４７】
一実施形態では、対話データが、マルチメディアリソースの再生中にユーザにより入力されるコメントアイコンと、対応する入力時間とを含むこともある。マルチメディアリソースの再生中には、ユーザにより入力されるコメントアイコン、例えば、ユーザによりクリックされる、悲しみ、幸せ、およびショックを表現するコメントアイコンなどが得られることもある。ユーザにより入力されるコメントアイコンは、リアルタイムで入力されてよく、またブレット画面を通してマルチメディアリソースの再生インタフェース上に表示されてよい。これらの方法を使用して、ユーザにより入力されるコメントアイコンおよび対応する入力時間を、対話データとして取得することが可能である。
【００４８】
一実施形態では、対話属性が、第１のコメントアイコンの入力時間分布または複数のコメントアイコンについての全体的な入力時間分布のうちの少なくとも１つを含み、ただし、第１のコメントアイコンは、複数のコメントアイコンのうちのいずれかのコメントアイコンである。
【００４９】
例えば、マルチメディアリソースについての対話属性は、マルチメディアリソースの再生中にユーザの対話データに基づいて決定することが可能である。対話属性は、マルチメディアリソースの再生中にユーザにより入力される様々な種類のコメントアイコンを分析することで得られるユーザのアイコンクリック情報、例えば、同じ種類のアイコンのクリック時間分布（第１のコメントアイコンの入力時間分布）、および複数のアイコンのクリック時間分布（複数のコメントアイコンについての全体的な入力時間分布）であってよい。複数のコメントアイコンは、マルチメディアリソースの再生インタフェース上に提供される、悲しみ、幸せ、およびショックなどを表現するコメントアイコンの一部または全てを含んでもよく、第１のコメントアイコンは、マルチメディアリソースの再生インタフェース上に提供される、悲しみ、幸せ、またはショックなどを表現するいずれかのコメントアイコンを含んでもよい。
【００５０】
一実施形態では、対話属性に基づいて、可視化対話情報が生成されることもある。可視化対話情報は、対話属性（例えば、コメントアイコンの入力時間分布）に従って生成されたグラフであってもよい。例えば、第１のコメントアイコンの入力時間分布グラフ、複数のコメントアイコンの全体的な入力時間分布グラフ、第１のコメントアイコンもしくは複数の第１のコメントアイコンの第１のアイコン入力時間密度グラフ、または、複数のコメントアイコンの全体的なアイコン入力時間密度グラフなどが生成されてもよい。さらに、生成されるグラフは、例えば、線グラフ、曲線グラフ、または、グレースケールヒートマップ、カラーヒートマップなどであってもよく、これらは、本開示で限定されるものではない。
【００５１】
一実施形態では、段階Ｓ１３が、（１）可視化対話情報を、マルチメディアリソース再生領域内に重ね合わせて表示する表示方法、（２）可視化対話情報を、マルチメディアリソース再生進行制御領域内に表示する表示方法、または（３）可視化対話情報を、マルチメディアリソース再生領域およびマルチメディアリソース再生進行制御領域以外の領域内に表示する表示方法のうちの少なくとも１つを含むことがある。
【００５２】
例えば、可視化対話情報を表示することができる。可視化対話情報は、画面上の特定の位置に表示することができる。例えば、複数のコメントアイコンの全体的な入力時間分布グラフを、マルチメディアリソース再生領域内に透明色で重ね合わせて表示すること、マルチメディアリソース再生進行制御領域内で表示すること、これら再生領域および進行制御領域以外の独立した領域内で表示することなどもできる。可視化対話情報の表示方法は、本開示で限定されるものではない。
【００５３】
一実施形態では、可視化対話情報をマルチメディアリソース再生進行制御領域内に表示するために、可視化対話情報のサイズが加工されてよい。例えば、複数のコメントアイコンの全体的なアイコン入力時間密度グラフの横軸および縦軸を調整して（縦軸を縮め、横軸を伸ばす）、マルチメディアリソース再生進行制御領域のサイズに適応させ、これにより、全体的なアイコン入力時間密度グラフを、マルチメディアリソース再生進行制御領域（例えば、映像再生進行制御バー）内に表示することができる。全体的なアイコン入力時間密度グラフが曲線グラフである場合、ユーザは、曲線グラフの時間密度ピークを直接見ることが可能であり、全体的なアイコン入力時間密度グラフがグレースケールヒートマップである場合（例えば、時間密度が高いほど、色が濃くなる）、ユーザは、画像のグレースケールを直接見て、時間密度ピークを判定することが可能である。これらの方法を使用することで、ユーザは、様々なリソース再生進行でのアイコン入力時間密度を直観的に見ることができ、これにより、ユーザは、引き続き視聴することも、興味のある位置にジャンプすることも可能である。
【００５４】
一実施形態では、対話データ（例えば、ブレット画面情報内のアイコン情報）の分類および統計分析を実施した後に、可視化対話情報を取得することも可能である。この可視化対話情報は、共有されて表示され、マルチメディアリソースの再生中に分類表示を実施することが可能であり、これにより、内容が、より明確な階層をもって、より正確に共有されて表示される。
【００５５】
図２は、本開示のいくつかの実施形態に従って示される対話属性を表示する方法を説明するフロー図である。図２に示すように、一実施形態では、（前述した）段階Ｓ１２は以下の副段階を含む。
【００５６】
段階Ｓ１２１：対話属性に基づいて、複数のコメントアイコンについての全体的なアイコン入力時間密度グラフ、または第１のコメントアイコンもしくは複数の第１のコメントアイコンについての第１のアイコン入力時間密度グラフのうちの少なくとも１つを生成する。
【００５７】
段階Ｓ１３１：全体的なアイコン入力時間密度グラフ、または第１のアイコン入力時間密度グラフのうちの少なくとも１つを表示する。
【００５８】
例えば、第１のコメントアイコンの入力時間分布または複数のコメントアイコンについての全体的な入力時間分布のうちの少なくとも１つなどの対話属性に従って、対話属性を分析して、複数のコメントアイコンについての全体的なアイコン入力時間密度グラフ、または１つもしくは複数の第１のコメントアイコンについての第１のアイコン入力時間密度グラフなどのうちの少なくとも１つを取得して、コメントアイコンの入力状態を直観的に、特定の時点に、または特定の期間中に反映させることができる。例えば、ユーザが、マルチメディアリソース再生の５分から７分にかけて、笑顔マークのコメントアイコンをより頻繁にクリックする。すると、笑顔マークのコメントアイコンが、アイコン入力時間密度グラフのこの期間でより濃くなり、マルチメディアリソースが、この期間中により多くの面白いピクチャを有する可能性が高い。
【００５９】
一実施形態では、複数のコメントアイコンについての全体的なアイコン入力時間密度グラフが表示されることもある。複数のコメントアイコンが、全てのコメントアイコンであっても、全てのコメントアイコンから選択された一部のコメントアイコンであってもよく、その選択された一部のコメントアイコンは、システムのデフォルトであっても、ユーザにより選択されてもよい。例えば、ユーザは、全てのコメントアイコンのうちの、悲しみ、幸せ、およびショックを表現するコメントアイコンを選択して、これらの悲しみ、幸せ、ショックを表現するコメントアイコンの全体的なアイコン入力時間密度グラフを表示することができる。全体的なアイコン入力時間密度グラフは、例えば、マルチメディアリソース再生領域内に透明色で重ね合わせて表示することができる。これらの方法を使用することにより、マルチメディアリソースの視聴の際に、ユーザは、次の内容の注目レベルやエキサイトレベル（例えば、アイコン入力時間密度が高いほど、注目レベルが高いことを示し得る）などの情報を見ることが可能であり、これにより、視聴を続けることを動機づけられる。
【００６０】
一実施形態では、１つまたは複数の第１のコメントアイコンについての第１のアイコン入力時間密度グラフが表示される場合もある。１つまたは複数の第１のコメントアイコンの入力時間密度が、アイコン入力時間密度グラフ内に表示される場合もある。複数の第１のコメントアイコンが、全てのコメントアイコンであっても、全てのコメントアイコンから選択された一部のコメントアイコンであってもよく、選択された一部のコメントアイコンは、システムのデフォルトであっても、ユーザにより選択されてもよい。例えば、ユーザは、全てのコメントアイコンのうちの、悲しみ、幸せ、およびショックを表現するコメントアイコンを選択して、これらの悲しみ、幸せ、およびショックを表現するコメントアイコンのアイコン入力時間密度グラフを、第１のアイコン入力時間密度グラフ内に表示することができる。第１のアイコン入力時間密度グラフは、例えば、マルチメディアリソース再生領域内に透明色で重ね合わせて表示することができる。これらの方法を使用することにより、マルチメディアリソースの視聴の際に、ユーザは、次の内容の注目レベルや内容傾向（例えば、幸せを表現するアイコンの入力時間密度が高くほど、またショック／悲しみを表現するアイコンの入力時間密度が低いほど、内容が面白い可能性が高いことを示す）などの情報を見ることができ、これにより、視聴を続けることを動機づけられる。
【００６１】
上記の方法を使用することにより、対話を明瞭かつ直観的に表示することが可能であり、表示効果を改善することができる。
【００６２】
図３は、本開示のいくつかの実施形態に従って示される対話属性を表示する方法を説明するフロー図である。図３に示すように、一実施形態では、（前述した）段階Ｓ１２は以下の段階を含む。
【００６３】
段階Ｓ１２２：対話属性に基づいて、マルチメディアリソースの再生中に、第１の時間間隔内で最大入力時間密度を有する第２のコメントアイコンを決定する。
【００６４】
段階Ｓ１２３：マルチメディアリソースの再生中に、複数の第１の時間間隔について、第２のコメントアイコンに対する第２のアイコン入力時間密度グラフを決定する。
【００６５】
段階Ｓ１３２：第２のアイコン入力時間密度グラフを表示する。
【００６６】
例えば、第１のコメントアイコンの入力時間分布または複数のコメントアイコンについての全体的な入力時間分布のうちの少なくとも１つなどの対話属性に従って、マルチメディアリソースの再生中の第１の時間間隔内の対話属性を分析して、第１の時間間隔内で入力時間密度が最大の（重みが最大の）第２のコメントアイコンを決定することができる。例えば、ユーザが、マルチメディアリソース再生の５分から７分にかけて、悲しみ、幸せ、およびショックなどを表現するコメントアイコンのうち、大部分は幸せを表現するコメントアイコンをクリックすると、幸せのコメントアイコンが最大入力時間密度を有し、幸せを表現するコメントアイコンが、その時間間隔内での第２のコメントアイコンと決定されてもよい。
【００６７】
一実施形態では、分析される複数のコメントアイコンが、全てのコメントアイコンであっても、全てのコメントアイコンのうちの一部のコメントアイコンであってもよく、その選択された一部のコメントアイコンは、システムのデフォルトであっても、ユーザにより選択されてもよい。例えば、全てのコメントアイコンの中から、ユーザは、ショックを表現するコメントアイコンを、注目したくないので除去することができる。
【００６８】
一実施形態では、マルチメディアリソースの再生中の複数の第１の時間間隔では、複数の第１の時間間隔のそれぞれについての第２のコメントアイコンが決定されてよく、次いで、第２のコメントアイコンについての第２のアイコン入力時間密度グラフが決定されてよく、第２のアイコン入力時間密度グラフが表示されてよい。例えば、マルチメディアリソース再生時の５分から７分にかけては、第２のコメントアイコンは幸せのコメントアイコンであり、７分から１０分にかけては、第２のコメントアイコンは悲しみのコメントアイコンであり、１０分から１４分にかけては、第２のコメントアイコンはショックのコメントアイコンである。この場合、幸せ、悲しみ、およびショックのコメントアイコンの入力時間密度が、第２のアイコン入力時間密度グラフ内で、それぞれ、５分から７分にかけて、７分から１０分にかけて、および１０分から１４分にかけて表示される。これらの方法を使用することにより、マルチメディアリソースの視聴の際に、ユーザは、次の内容の注目レベルや内容傾向などの情報（例えば、５分から７分にかけての内容は、面白い可能性が高い）を見ることができ、これにより、視聴を続けることを動機づけられる。
【００６９】
これらの方法を使用することにより、対話を明瞭かつ直観的に表示することが可能であり、表示効果を改善することができる。
【００７０】
図４は、本開示のいくつかの実施形態に従って示される対話属性を表示する方法を説明するフロー図である。図４に示すように、一実施形態では、（前述した）段階Ｓ１３２は以下の段階を含む。
【００７１】
段階Ｓ１３２１：第２のアイコン入力時間密度グラフの第１の時間間隔ごとに、第１の時間間隔に対応する第２のコメントアイコンと、第２のコメントアイコンの入力時間密度とを表示する。
【００７２】
例えば、マルチメディアリソースの再生中に、複数の第１の時間間隔の時間間隔ごとに、時間間隔ごとの第２のコメントアイコンが決定されてよく、次いで、第１の時間間隔ごとに、第１の時間間隔に対応する第２のコメントアイコンおよび第２のコメントアイコンの入力時間密度が決定され表示されてもよい。例えば、様々な種類のアイコンを、様々な色またはグレースケールで示すことができる。例えば、ショックが青色で表され、幸せが黄色で表される。ショックのコメントアイコンが、（第１の時間間隔内の）特定の瞬間に、最大の重み（最大入力時間密度）を有する場合、第２のコメントアイコンは、ショックのコメントアイコンと判定され、その瞬間（第１の時間間隔）では青色が示される。
【００７３】
一実施形態では、様々な種類のコメントアイコンの密度グラフを、ユーザの選択に従って別々に表示することもできる。例えば、第１の時間間隔内の全てのコメントアイコンのうちの一部のコメントアイコンの入力時間密度のみを分析して、第２のコメントアイコンを決定する。これらの選択された一部のコメントアイコンは、システムのデフォルトであっても、ユーザにより選択されてもよい。
【００７４】
これらの方法を使用することにより、対話の傾向を明瞭かつ直観的に表示することが可能であり、表示効果を改善することができる。
【００７５】
図５は、本開示のいくつかの実施形態に従って示される対話属性を表示する方法を説明するフロー図である。図５に示すように、一実施形態では、例えば図１で説明する方法は以下の段階を更に含む。
【００７６】
段階Ｓ１４：表示される可視化対話情報が生じた場合に、マルチメディアリソースの再生進行を、可視化対話情報が生じた位置に対応する時点にジャンプさせる。
【００７７】
例えば、可視化対話情報が表示されている場合、表示されるこの可視化対話情報内の内容が生じることが可能になるように設定することができる。例えば、ユーザが画面上の全体的なアイコン入力時間密度グラフ（可視化対話情報）をクリックした場合、全体的なアイコン入力時間密度グラフを生じさせることができる。ユーザにより生じさせられた可視化対話情報の位置に従って、対応する動作を実施して、例えば、マルチメディアリソースの再生進行を、可視化対話情報が生じた位置に対応する時点にジャンプさせることができる。例えば、ユーザが全体的なアイコン入力時間密度グラフの時間密度ピークの位置が生じるようにクリックすると、映像の再生進行が、その時間密度ピークに対応する時点にジャンプすることができ、これにより、ユーザはその時点の映像コンテンツを直接的に見ること可能であり、ユーザ動作がより都合の良いものになる。
【００７８】
一実施形態では、可視化対話情報がマルチメディアリソース再生領域内に重ね合わせて表示された場合、または、可視化対話情報がマルチメディアリソース再生領域およびマルチメディアリソース再生進行制御領域以外の領域内に表示された場合、可視化対話情報の時間が、映像再生進行の時間と１対１で対応する場合もあり、これにより、ユーザが可視化対話情報を生じさせる際に、対応する再生進行のジャンプを実施することができる。可視化対話情報がマルチメディアリソース再生進行制御領域内に表示される場合、可視化対話情報の時間が、映像再生進行の時間と一致することもあり、これにより、ユーザが映像再生進行アイコンをクリックすると、可視化対話情報が生じ、このようにして、可視化対話情報を生じさせることが、再生進行のジャンプと同期する。
【００７９】
これらの方法を使用することにより、対話が直観的に表示される間、可視化対話情報を生じさせることで再生進行のジャンプを実施することが可能であり、これにより、ユーザ動作が更に好都合になり、ユーザ体験が向上される。
【００８０】
図６は、本開示のいくつかの実施形態に従って示される対話属性を表示する方法の例示的アプリケーションシナリオの画面図である。図６に示すように、この例示的アプリケーションシナリオでは、可視化対話情報（６０２）を、映像再生領域の右下すみに、透明色で重ね合わせて表示することができる。可視化対話情報は、好意、幸せ（うれし涙）、およびショックを表現するコメントアイコンのそれぞれの入力時間密度グラフを含んでもよい。入力時間密度は破線で表される。異なるコメントアイコンが、異なる色／グレースケールで表される。これらの方法を使用することにより、幸せのコメントアイコンが高い入力時間密度を有し、ショックのコメントアイコンが低い入力時間密度を有することを入力時間密度グラフから知ることができるので、ユーザは、映像が多くの面白い内容を含み得ることを知り、面白い内容を好むユーザは視聴を続けることを動機付けされる。
【００８１】
図７は、本開示のいくつかの実施形態に従って示される対話属性を表示する方法の例示的アプリケーションシナリオの画面図である。図７に示すように、この例示的アプリケーションシナリオでは、可視化対話情報を、映像再生進行制御領域内に表示することができる。映像再生進行の領域全体を複数の第１の時間間隔（７０２〜７１８）に分割することができ、これら複数の第１の時間間隔のそれぞれにおいて最大重みの第２のコメントアイコンが取得され、次いで、第１の時間間隔ごとに、第１の時間間隔に対応する第２のコメントアイコンを表示することが可能である。それぞれ異なる種類のアイコンを、それぞれ異なる色／グレースケールで表すことができ、例えば、ショックはダークグレーで表され、幸せはライトグレーで表され、これにより、ショックのコメントアイコンが最大の重みを有する再生進行制御領域（第１の時間間隔）がダークグレーで表示され、幸せのコメントアイコンが最大の重みを有する再生進行制御領域（第１の時間間隔）がライトグレーで表示される。
【００８２】
図８は、本開示のいくつかの実施形態に従って示される対話属性を表示するための装置のブロック図である。図８に示すように、この対話属性を表示するための装置は、対話属性決定モジュール７１、対話情報生成モジュール７２、および対話情報表示モジュール７３を含む。
【００８３】
対話属性決定モジュール７１は、マルチメディアリソースについての対話属性を、マルチメディアリソースの再生中にユーザの対話データに基づいて決定するように構成される。
【００８４】
対話情報生成モジュール７２は、対話属性に基づいて、可視化対話情報を生成するように構成される。
【００８５】
対話情報表示モジュール７３は、可視化対話情報を表示するように構成される。一実施形態では、対話データが、マルチメディアリソースの再生中にユーザにより入力されるコメントアイコンと、対応する入力時間とを含む。対話属性は、第１のコメントアイコンの入力時間分布または複数のコメントアイコンについての全体的な入力時間分布のうちの少なくとも１つを含む。第１のコメントアイコンは、複数のコメントアイコンのうちのいずれかのコメントアイコンである。
【００８６】
図９は、本開示のいくつかの実施形態に従って示される対話属性を表示するための装置のブロック図である。図９に示すように、一実施形態では、対話情報生成モジュール７２が、対話属性に基づいて、複数のコメントアイコンについての全体的なアイコン入力時間密度グラフ、または第１のコメントアイコンもしくは複数の第１のコメントアイコンについての第１のアイコン入力時間密度グラフのうちの少なくとも１つを生成するように構成された第１の生成サブモジュール７２１を含む。
【００８７】
図９に示すように、一実施形態では、対話情報表示モジュール７３が、全体的なアイコン入力時間密度グラフまたは第１のアイコン入力時間密度グラフのうちの少なくとも１つを表示するように構成された第１の表示サブモジュール７３１を含む。
【００８８】
図１０は、本開示のいくつかの実施形態に従って示される対話属性を表示するための装置のブロック図である。図１０に示すように、一実施形態では、対話情報生成モジュール７２が、第１の決定サブモジュール７２２および第２の決定サブモジュール７２３を含む。
【００８９】
第１の決定サブモジュール７２２は、対話属性に基づいて、マルチメディアリソースの再生中に、第１の時間間隔内で最大入力時間密度を有する第２のコメントアイコンを決定するように構成される。
【００９０】
第２の決定サブモジュール７２３は、マルチメディアリソースの再生中に、複数の第１の時間間隔について、第２のコメントアイコンに対する第２のアイコン入力時間密度グラフを決定するように構成される。
【００９１】
図１０に示すように、一実施形態では、対話情報表示モジュール７３が、第２のアイコン入力時間密度グラフを表示するように構成された第２の表示サブモジュール７３２を含む。
【００９２】
図１０に示すように、一実施形態では、第２の表示サブモジュール７３２が、第２のアイコン入力時間密度グラフの第１の時間間隔ごとに、第１の時間間隔に対応する第２のコメントアイコンと、第２のコメントアイコンの入力時間密度とを表示するように構成された第３の表示サブモジュール７３２１を含む。
【００９３】
図１０に示すように、一実施形態では、上記装置が、表示される可視化対話情報が生じた場合に、マルチメディアリソースの再生進行を、可視化対話情報が生じた位置に対応する時点にジャンプさせるように構成された進行ジャンプモジュール７４を更に含む。
【００９４】
一実施形態では、対話情報表示モジュール７３が、（１）可視化対話情報を、マルチメディアリソース再生領域内に重ね合わせて表示する表示方法と、（２）可視化対話情報を、マルチメディアリソース再生進行制御領域内に表示する表示方法と、（３）可視化対話情報を、マルチメディアリソース再生領域およびマルチメディアリソース再生進行制御領域以外の領域内に表示する表示方法とのうちの少なくとも１つを含む。
【００９５】
一実施形態では、コメントアイコンが、ブレット画面内のコメントアイコンを含む。
【００９６】
本開示の実施形態による対話属性を表示するための方法および装置では、対話属性を、マルチメディアリソースの再生中にユーザの対話データに基づいて決定することが可能であり、次いで、可視化対話情報を生成、表示して、明瞭かつ直観的に対話を表示し、表示効果を改善し、ユーザ体験を向上させる。
【００９７】
図１１は、本開示のいくつかの実施形態に従って示される対話属性を表示するための装置８００のブロック図である。例えば、装置８００は、携帯電話、コンピュータ、デジタルブロードキャスティング端末、メッセージ送受信デバイス、ゲームコンソール、タブレットデバイス、医療デバイス、フィットネスデバイス、またはパーソナルデジタルアシスタントなどであってもよい。
【００９８】
図１１を参照すると、装置８００は、処理コンポーネント８０２、メモリ８０４、電源コンポーネント８０６、マルチメディアコンポーネント８０８、オーディオコンポーネント８１０、入力／出力（Ｉ／Ｏ）インタフェース８１２、センサコンポーネント８１４、および通信コンポーネント８１６といった１つまたは複数のコンポーネントを含み得る。
【００９９】
処理コンポーネント８０２は通常、表示、通話、データ通信、カメラ動作、および記録動作に関連する動作など、装置８００の全体的な動作を制御する。処理コンポーネント８０２は、上述の方法の段階のうちの全てまたは一部を実施するための命令を実行するために、１つまたは複数のプロセッサ８２０を含んでもよい。さらに、処理コンポーネント８０２は、処理コンポーネント８０２と他のコンポーネントとの対話を容易に行えるようにする１つまたは複数のモジュールを含んでもよい。例えば、処理コンポーネント８０２は、マルチメディアコンポーネント８０８と処理コンポーネント８０２との対話を容易に行えるようにするためのマルチメディアモジュールを含んでもよい。
【０１００】
メモリ８０４は、装置８００上の動作をサポートするための様々な種類のデータを格納するように構成される。こうしたデータの例には、装置８００上で動作するいずれかのアプリケーションまたは方法についての命令、連絡先データ、電話帳データ、メッセージ、ピクチャ、および映像などが含まれる。メモリ８０４は、スタティックランダムアクセスメモリ（ＳＲＡＭ）、電気的消去可能プログラマブルリードオンリメモリ（ＥＥＰＲＯＭ）、消去可能プロマブルリードオンリメモリ（ＥＰＲＯＭ）、プログラマブルリードオンリメモリ（ＰＲＯＭ）、リードオンリメモリ（ＲＯＭ）、磁気メモリ、フラッシュメモリ、磁気ディスク、または光学ディスクなどの、いずれかの種類の揮発性もしくは不揮発性記憶デバイス、またはこれらの組合せを使用して実装してもよい。
【０１０１】
電源コンポーネント８０６は、装置８００の様々なコンポーネントに電力を供給する。電源コンポーネント８０６は、電力管理システムと、１つまたは複数の電力源と、装置８００に対する電力の生成、管理、および分配に関連する他のコンポーネントとを含んでもよい。
【０１０２】
マルチメディアコンポーネント８０８は、装置８００とユーザとの間の出力インタフェースを提供する画面を含む。いくつかの実施形態では、その画面は、液晶ディスプレイ（ＬＣＤ）およびタッチパネル（ＴＰ）を含んでもよい。画面がタッチパネルを含む場合、画面は、ユーザから入力信号を受け取るためのタッチ画面として実装することができる。タッチパネルは、タッチパネル上のタッチ、スワイプ、およびジェスチャを検知するための１つまたは複数のタッチセンサを含む。タッチセンサは、タッチまたはスワイプ動作の境界を検知するだけでなく、タッチまたはスワイプの動作に関する期間および圧力を検出することができる。いくつかの実施形態では、マルチメディアコンポーネント８０８は、前方カメラまたは後方カメラを含み、またはいくつかの実施形態では、前方カメラおよび後方カメラの両方を含む。装置８００が撮影モードまたは映像モードなどの動作モードである間、前方カメラもしくは後方カメラ（またはこれらの両方）が、外部マルチメディアデータを受け取ることができる。前方カメラおよび後方カメラはそれぞれ、固定光学レンズ系であっても、フォーカスおよび光学ズームの機能を有していてもよい。
【０１０３】
オーディオコンポーネント８１０は、オーディオ信号を出力または入力するように構成される。例えば、オーディオコンポーネント８１０は、装置８００が通話モード、記録モード、音声認識モードなどの動作モードであるときに外部オーディオ信号を受け取るように構成されたマイクロフォン（ＭＩＣ）を含む。受け取られたオーディオ信号は、メモリ８０４に更に格納されても、通信コンポーネント８１６を介して送られてもよい。いくつかの実施形態では、オーディオコンポーネント８１０は、オーディオ信号を出力するためのスピーカを更に含む。
【０１０４】
Ｉ／Ｏインタフェース８１２は、処理コンポーネント８０２とキーボード、クリックホイール、およびボタンなどであり得る周辺インタフェースモジュールとの間のインタフェースを提供する。こうしたボタンには、ホームボタン、ボリュームボタン、スタートボタン、およびロックボタンが含まれてもよいが、これらに限定されない。
【０１０５】
センサコンポーネント８１４は、装置８００についての様々な側面の状態評価を提供するための１つまたは複数のセンサを含む。例えば、センサコンポーネント８１４は、装置８００のオン／オフ状態、例えば装置８００のディスプレイとキーパッドといったコンポーネント間の相対配置を検出することができる。センサコンポーネント８１４は、装置８００または装置８００のコンポーネントの位置の変化、ユーザによる装置８００への接触の有無、装置８００の向きまたは加速度／減速度、および装置８００の温度の変化を更に検出することができる。センサコンポーネント８１４は、近くにある物体の存在を物理的接触なく検出するように構成された近接センサを含んでもよい。センサコンポーネント８１４は、ＣＭＯＳ画像センサまたはＣＣＤ画像センサなどの、撮像用途に使用される光センサを更に含んでもよい。いくつかの実施形態では、センサコンポーネント８１４は、加速度センサ、ジャイロスコープセンサ、磁気センサ、圧力センサ、または温度センサを更に含んでもよい。
【０１０６】
通信コンポーネント８１６は、装置８００と他のデバイスとの有線または無線での通信を容易に行えるようにするように構成される。装置８００は、ＷｉＦｉ、２Ｇ、もしくは３Ｇ、またはこれらの組合せなどの通信規格に基づいて、無線ネットワークにアクセスすることが可能である。一例示的実施形態では、通信コンポーネント８１６は、外部放送管理システムから放送チャンネルを介して、放送信号または放送関連信号を受け取る。一例示的実施形態では、通信コンポーネント８１６は、近距離通信を容易に行えるようにするための近距離無線通信（ＮＦＣ）モジュールを更に含む。例えば、ＮＦＣモジュールは、無線自動認識（ＲＦＩＤ）技術、赤外線データ協会（ＩｒＤＡ）技術、超広帯域（ＵＷＢ）技術、ブルートゥース（登録商標）（ＢＴ）技術、および他の技術に基づいて実装されてもよい。
【０１０７】
例示的な一実施形態では、装置８００は、上記の方法を実施するための１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ、または他の電子コンポーネントにより実装されてもよい。
【０１０８】
例示的な一実施形態では、上記の方法を実施するために装置８００のプロセッサ８２０により実行可能な命令を含んだメモリ８０４など、命令を含んだ不揮発性コンピュータ可読記憶媒体も提供される。
【０１０９】
図１２は、本開示のいくつかの実施形態に従って示される対話属性を表示するための装置１９００のブロック図である。例えば、装置１９００はサーバとして提供されてもよい。図１２を参照すると、装置１９００は、１つまたは複数のプロセッサを更に含む処理コンポーネント１９２２と、アプリケーションなど、処理コンポーネント１９２２が実行可能な命令を格納するように構成されたメモリ１９３２に代表されるメモリリソースとを含む。メモリ１９３２に格納されるアプリケーションは、一連の命令にそれぞれ対応する１つまたは複数のモジュールを含んでもよい。さらに、処理コンポーネント１９２２は、上記の方法を実施するための命令を実行するように構成される。
【０１１０】
装置１９００は、装置１９００に対して電力管理を実施するように構成された電源コンポーネント１９２６と、装置１９００をネットワークに接続するように構成された有線または無線ネットワークインタフェース１９５０と、入力／出力（Ｉ／Ｏ）インタフェース１９５８とを更に含んでもよい。装置１９００は、Ｗｉｎｄｏｗｓ（登録商標）Ｓｅｒｖｅｒ、Ｍａｃ  ＯＳ  Ｘ（登録商標）、Ｕｎｉｘ（登録商標）、Ｌｉｎｕｘ（登録商標）、またはＦｒｅｅＢＳＤ（登録商標）などの、メモリ１９３２に格納されたオペレーティングシステムに基づいて動作してもよい。
【０１１１】
例示的な一実施形態では、上記の方法を実施するために装置１９００の処理コンポーネント１９２２により実行可能な命令を含んだメモリ１９３２など、命令を含んだ不揮発性コンピュータ可読記憶媒体も提供される。
【０１１２】
開示を行う実施形態は、システム、方法、またはコンピュータプログラム製品のうちの１つまたは複数を含む場合もある。コンピュータプログラム製品は、プロセッサが本開示の様々な態様を実施することを可能にするコンピュータ可読プログラム命令を有するコンピュータ可読記憶媒体を含んでもよい。
【０１１３】
上記のコンピュータ可読記憶媒体は、命令実行デバイスにより使用される命令を保持および格納することが可能な有形デバイスとすることができる。コンピュータ可読記憶媒体は、例えば、電気記憶デバイス、磁気記憶デバイス、光記憶デバイス、電磁記憶デバイス、半導体メモリデバイス、またはこれらの任意の適当な組合せであってもよいが、限定されない。コンピュータ可読記憶媒体のより具体的な例（非包括的リスト）には、ポータブルコンピュータディスク、ハードディスク、ランダムアクセスメモリ（ＲＡＭ）、リードオンリメモリ（ＲＯＭ）、消去可能プロマブルリードオンリメモリ（ＥＰＲＯＭまたはフラッシュメモリ）、静的ランダムアクセスメモリ（ＳＲＡＭ）、ポータブルコンパクトディスクリードオンリメモリ（ＣＤ−ＲＯＭ）、デジタル多用途ディスク（ＤＶＤ）、メモリスティック、フロッピーディスク、命令を格納したパンチカードまたは凹所内の隆起構造などの機械的コーディングデバイス、およびこれらの任意の適当な組合せが含まれる。本明細書中で使用されるコンピュータ可読記憶媒体それ自体は、電波もしくは他の自由伝播する電磁波、導波管もしくは他の伝送媒体中を伝播する電磁波（例えば、ファイバオプティックケーブルを通る光パルス）、または電線中を伝送する電気信号などの過渡信号とはみなされない。
【０１１４】
本明細書中に記載するコンピュータ可読プログラム命令は、コンピュータ可読記憶媒体から様々なコンピューティング／処理デバイスにダウンロードすること、またはインターネット、ローカルエリアネットワーク、ワイドエリアネットワーク、もしくは無線ネットワークなどのネットワークを介して外部コンピュータもしくは外部記憶デバイスにダウンロードすることができる。こうしたネットワークは、伝送銅ケーブル、ファイバ伝送、無線伝送、ルータ、ファイアウォール、スイッチ、ゲートウェイコンピュータ、またはエッジサーバを含んでもよい。各コンピューティング／処理デバイス内のネットワークアダプタカードまたはネットワークインタフェースが、ネットワークからコンピュータ可読プログラム命令を受け取り、それらを転送して、各コンピューティング／処理デバイス内のコンピュータ可読記憶媒体に格納する。
【０１１５】
本開示の動作を実施するためのコンピュータプログラム命令は、アセンブリ命令、命令セットアーキテクチャ（ＩＳＡ）命令、マシン命令、マシン関連命令、マイクロコード、ファームウェア命令、状態設定データ、またはＳｍａｌｌｔａｌｋおよびＣ＋＋などのオブジェクト指向プログラミング言語、および「Ｃ」言語または同様のプログラミング言語のような従来の手続型プログラミング言語を含む、１つまたは複数のプログラミング言語の任意の組み合わせで記述されたソースコードまたはオブジェクトコードのいずれかを含んでよい。コンピュータ可読プログラム命令は、ユーザコンピュータ上で全部もしくは部分的に実行すること、スタンドアロンのソフトウェアパッケージとして実行すること、ユーザコンピュータ上で部分的に実行し、かつ遠隔のコンピュータ上で部分的に実行すること、または遠隔のコンピュータもしくはサーバ上で全部実行することが可能である。遠隔コンピュータの場合、これを、ローカルエリアネットワーク（ＬＡＮ）またはワイドエリアネットワーク（ＷＡＮ）を含めたいずれかの種類のネットワークを通してユーザのコンピュータに接続してもよい。あるいは、遠隔コンピュータを、外部コンピュータに接続することも可能である（例えば、インターネットサービスプロバイダを使用してインターネットを介して接続する）。いくつかの実施形態では、例えばプログラマブル論理回路、フィールドプログラマブルゲートアレイ（ＦＰＧＡ）またはプログラマブル論理アレイ（ＰＬＡ）などの電子回路が、コンピュータ可読プログラム命令の状態情報を利用してその電子回路を適応させることにより、コンピュータ可読プログラム命令を実行して、本開示の様々な態様を実装することができる。
【０１１６】
本開示の様々な態様を、本開示の実施形態による方法、装置（システム）、およびコンピュータプログラム製品のフローチャートまたはブロック図を参照して本明細書中で説明している。こうしたフローチャートおよびブロック図のそれぞれ、ならびに、フローチャートおよびブロック図中の様々なブロックの組合せは、コンピュータ可読プログラム命令により実装可能であることを理解されたい。
【０１１７】
これらのコンピュータ可読プログラム命令を、汎用コンピュータ、特殊目的のコンピュータまたは他のプログラマブルデータ処理装置のプロセッサに提供して、マシンを作ることができ、これにより、これらの命令がコンピュータまたは他のプログラマブルデータ処理装置のプロセッサにより実行された場合、これら命令により、フローチャートおよびブロック図の１つまたは複数のブロック内で指定される機能／動作を実施するための装置が作られる。また、これらのコンピュータ可読プログラム命令をコンピュータ可読記憶媒体に格納することができる。これらの命令により、コンピュータ、プログラマブルデータ処理装置、または他のデバイスが特定の動作を行うことが可能になり、したがって、こうした命令を格納したコンピュータ可読媒体は、フローチャートおよびブロック図の１つまたは複数のブロック内で指定される機能／動作の様々な側面を実施する命令を含めたアーチファクトを含む。
【０１１８】
コンピュータ可読プログラム命令は、コンピュータ、他のプログラマブルデータ処理装置、または他のデバイスにロードすることもでき、これにより、コンピュータ、他のプログラマブルデータ処理装置、または他のデバイスが、一連の動作段階を実施して、コンピュータ実装プロセスを生成し、これにより、フローチャートおよびブロック図の１つまたは複数のブロック内で指定される機能／動作が、コンピュータ、他のプログラマブルデータ処理装置、または他のデバイス上で実行される命令により実装される。
【０１１９】
添付図面中のフローチャートおよびブロック図は、本開示の複数の実施形態によるシステム、方法、およびコンピュータプログラム製品の実施形態のシステムアーキテクチャ、機能、および動作を説明している。これに関連して、フローチャートまたはブロック図中の各ブロックは、モジュール、プログラムセグメント、または特定の論理機能を実装するための１つまたは複数の実行可能命令を含んだ命令の一部を表すことができる。いくつかの代替実装形態では、ブロック中に示す機能が、図面に示すものとは異なる順序で実行されることもある。例えば、連続する２つのブロックが、関連する機能によっては、実際には実質的に並行して実行される場合もあり、反対の順序で行われる場合もある。ブロック図およびフローチャートの各ブロック、ならびに、ブロック図およびフローチャート中のブロックの組合せを、特定の機能または動作を実施するハードウェアベースの専用システム内で実装することも可能であり、専用ハードウェアとコンピュータ命令の組合せにより実装することも可能であることにも留意されたい。
【０１２０】
本開示の実施形態を記載してきたが、上記の説明は、包括的なものではなく例を示すものであり、開示された実施形態に限定されるものではない。説明を行った実施形態の範囲および趣旨から逸脱することなく、多くの修正形態および変形形態が、当業者には明らかになるであろう。本明細書中で使用される専門用語は、実施形態の原理、市場に見られる技術に対する現実的応用もしくは技術的改善を最も分かり易く説明するために、または、他の当業者が本明細書中に開示する実施形態を理解することを可能にするために選択されたものである。
【図１】
2020514892.tif 000003
【図２】
2020514892.tif 000004
【図３】
2020514892.tif 000005
【図４】
2020514892.tif 000006
【図５】
2020514892.tif 000007
【図６】
2020514892.tif 000008
【図７】
2020514892.tif 000009
【図８】
2020514892.tif 000010
【図９】
2020514892.tif 000011
【図１０】
2020514892.tif 000012
【図１１】
2020514892.tif 000013
【図１２】
2020514892.tif 000014
【国際調査報告】
2020514892.tif 000015
2020514892.tif 000016
2020514892.tif 000017
2020514892.tif 000018